【手続補正書】
【提出日】平成25年4月30日(2013.4.30)
【手続補正１】
【補正対象書類名】特許請求の範囲
【補正対象項目名】全文
【補正方法】変更
【補正の内容】
【特許請求の範囲】
【請求項１】
マルチモーダル会話のパーク保留および保留解除を円滑に進める、コンピューティングデバイス内で少なくとも部分的に実行される方法であって、
通信サーバにおいて、マルチモーダル会話のパーク保留を求める要求を受信するステップと、
前記会話をパーク保留するステップであって、前記会話の別個のモダリティは、会話識別子で識別される、パーク保留するステップと、
前記パーク保留された会話について、少なくとも１人の加入者に通知するステップと、
前記少なくとも１人の加入者が、前記パーク保留された会話の前記別個のモダリティの少なくとも１つを保留解除することを可能にするステップと、
前記少なくとも１人の加入者から、前記パーク保留された会話の、選択されたモダリティの指示を受信すると、前記加入者が、前記選択されたモダリティで前記会話を続けることを可能にするステップと、
前記通知を受けた少なくとも１人の加入者が、場所識別子によって識別された場所からの、前記パーク保留された会話の前記別個のモダリティの前記少なくとも１つを保留解除することを可能にされるように、前記会話をパーク保留することを要求する加入者に、前記会話のパーク保留の前記場所識別子を提供するステップと
を含むことを特徴とする方法。
【請求項２】
前記会話がパーク保留されている間、前記会話の参加者にマルチモーダルコンテンツを提供するステップをさらに含むことを特徴とする請求項１に記載の方法。
【請求項３】
前記マルチモーダルコンテンツを提供するステップは、オーディオコンテンツを再生するステップ、ビデオコンテンツを再生するステップ、スライドプレゼンテーションを表示するステップ、および少なくとも１つのファイルを表示するステップのセットの少なくとも１つを含むことを特徴とする請求項２に記載の方法。
【請求項４】
前記場所識別子は、ＳＩＰ（セッション開始プロトコル）ＵＲＩ（ユニフォームリソース識別子）、およびＵＲＬ（ユニフォームリソースロケータ）の一方を含み、前記会話のモダリティごとに前記会話をパーク保留することを要求する前記加入者に、異なる場所識別子が提供されることを特徴とする請求項１ないし３のいずれかに記載の方法。
【請求項５】
異なる場所識別子が、前記会話の各モダリティについて前記会話のパーク保留を要求する加入者に提供されることを特徴とする請求項１ないし４のいずれかに記載の方法。
【請求項６】
前記少なくとも１人の加入者は、電子メールメッセージ、インスタントメッセージ、ＳＩＰ通知、通知アプリケーションユーザインターフェイス、および音声ベースの警告の１つにより通知を受けることを特徴とする請求項１ないし５のいずれかに記載の方法。
【請求項７】
前記少なくとも１人の加入者に通知するステップは、前記パーク保留された会話の各モダリティに対する別個のリンク、および前記パーク保留された会話全体に対する単一のリンクの一方を提供するステップを含むことを特徴とする請求項６に記載の方法。
【請求項８】
前記会話の前記モダリティは、オーディオ通信、ビデオ通信、アプリケーション共有セッション、データ共有セッション、ホワイトボード共有セッション、電子メール交換、およびインスタントメッセージセッションのセットの１つを含むことを特徴とする請求項１ないし７のいずれかに記載の方法。
【請求項９】
前記会話識別子は、数値および英数字の値のうちの一方を有し前記会話の別個のモダリティはまとめてパーク保留されることを特徴とする請求項１ないし８のいずれかに記載の方法。
【請求項１０】
マルチモーダル会話パーク保留および保留解除を実装する通信システムであって、
前記システムのエンドポイントから、確立されたマルチモーダル会話をパーク保留するための要求を受信し、
前記パーク保留管理サーバにおける集中式および複数のサーバにおける分散式の一方で、前記会話をパーク保留し、前記会話の別個のモダリティは、会話識別子によりまとめて関連づけられ、
別のエンドポイントが、前記パーク保留された会話について通知され得るように、前記要求側エンドポイントに場所識別子を提供し、
前記エンドポイントが、前記パーク保留された会話の前記別個のモダリティの少なくとも１つを保留解除することを可能にする
ために構成されたパーク保留管理サーバを備え、前記会話の参加者の装置は、少なくとも２つのエンドポイントを利用して、前記会話に参加し、前記エンドポイントが、該エンドポイントの間でパーク保留操作を交渉することを可能にすることを特徴とするシステム。
【請求項１１】
前記システムのエンドポイントの間のマルチモーダル通信を円滑に進めるために構成された通信サーバをさらに備えたことを特徴とする請求項１０に記載のシステム。
【請求項１２】
マルチモーダルコンテンツを格納し、前記会話がパーク保留されている間に前記会話の参加者に提供するために構成されたメディアサーバをさらに備え、前記コンテンツは、オーディオ再生、ビデオ再生、スライドショープレゼンテーション、および文書表示のセットの少なくとも１つを含むことを特徴とする請求項１０または１１に記載のシステム。
【請求項１３】
前記保留管理サーバは、前記会話の前記別個のモダリティそれぞれに対する専用サーバ、多目的サーバ、ならびにサーバおよびエンドポイントの組合せの１つを含むことを特徴とする請求項１０ないし１２のいずれかに記載のシステム。
【請求項１４】
前記通信システムは、企業環境における単一のネットワークシステムおよび連結された環境におけるマルチネットワークシステムのうちの一方として実装されることを特徴とする請求項１０ないし１３のいずれかに記載のシステム。
【請求項１５】
マルチモーダル会話をパーク保留および保留解除能力により管理するプログラムが格納されたコンピュータ読取可能記憶媒体であって、前記プログラムは、
統合通信システムの加入者の間のマルチモーダル会話を円滑に進めるステップであって、各加入者は、少なくとも１つのエンドポイントを利用して、前記会話に参加する、円滑に進めるステップと、
前記マルチモーダル会話をパーク保留するための要求を、参加エンドポイントから受信するステップと、
前記会話をパーク保留するステップであって、前記会話の別個のモダリティは、会話識別子によりまとめて関連づけられる、パーク保留するステップと、
別の参加エンドポイントが、前記パーク保留された会話について通知され得るように、前記要求側エンドポイントに場所識別子を提供するステップと、
前記会話がパーク保留されている間、前記会話の参加エンドポイントにマルチモーダルコンテンツを提供するステップと、
通知を受けたエンドポイントが、前記パーク保留された会話の前記別個のモダリティの少なくとも１つを保留解除することを可能にするステップと、
前記通知を受けた別のエンドポイントが、場所識別子によって識別された場所からの、前記パーク保留された会話の前記別個のモダリティの前記少なくとも１つを保留解除することを可能にされるように、前記会話をパーク保留することを要求するエンドポイントに、前記会話のパーク保留の前記場所識別子を提供するステップと
をコンピュータに実行させることを特徴とするコンピュータ読取可能媒体。
【請求項１６】
グループ電子メール、および永続的チャットセッションの一方により、前記パーク保留された会話についての複数のエンドポイントへの通知を可能にするステップをさらに含むことを特徴とする請求項１５に記載のコンピュータ読取可能媒体。
【請求項１７】
前記グループ電子メールおよび前記永続的チャットセッションは、前記別のエンドポイントに関連づけられたユーザが、前記パーク保留された会話の利用可能モダリティの中から選択を行うことを可能にするための複数のリンクを含むことを特徴とする請求項１５または１６に記載のコンピュータ読取可能媒体。
【請求項１８】
前記別の参加エンドポイントは、前記パーク保留された会話の場所識別子と、前記会話識別子とを含むＳＩＰメッセージにより通知されることを特徴とする請求項１５ないし１７のいずれかに記載のコンピュータ読取可能媒体。
【請求項１９】
前記別の参加エンドポイントは、前記別の参加エンドポイントの能力および前記別の参加エンドポイントに関連づけられたユーザの嗜好の少なくとも一方に基づいて、前記パーク保留された会話の選択モダリティを保留解除することを可能にされることを特徴とする請求項１５ないし１８のいずれかに記載のコンピュータ読取可能媒体。